(57)【要約】【課題】トレーを収納したときの見栄えを向上させることができる什器を提供する。【解決手段】什器１は、前後左右の４つの壁部１１〜１４が一体に連設された中空の什器本体１０と、什器本体１０内に位置する収納ケース２を下方から支持するための４つの支持部１５と、を備える。前壁部１１は、収納ケース２を什器本体１０内に収納するための前側開口１６と、前側開口１６の下側部を覆う、第１折目線ｆ１を介して什器本体１０の内方に折り曲げ可能に構成された前側カバー部１７とを有する。【選択図】図７
2020103831.tif 000002
【特許請求の範囲】
【請求項１】
４つの側板を有する有底四角筒状のトレーが収納される什器であって、
前後左右の４つの壁部を有する筒状の什器本体と、
当該什器本体の隣接する壁部の境界線のそれぞれにおける所定の高さから内方に突出するように設けられ、当該什器本体内に位置する前記トレーを下方から支持するための４つの支持部と、
を備え、
前記什器本体の前記前壁部には、前記トレーを前記什器本体内に収納するための前側開口が形成されており、
当該前側開口の下縁部は、前記支持部の上端との間隔が前記トレーの前記側板の高さよりも大きい値に設定されていることを特徴とする什器。
【請求項２】
請求項１に記載の什器において、
前記什器本体の前記前壁部は、
前記前側開口の下縁部から下方に延びる一対の切目と、当該一対の切目の先端を繋いで左右方向に延びる折目線を介して前記什器本体の外方に折り曲げ可能に構成された前側カバー部とを有することを特徴とする什器。
【請求項３】
請求項２に記載の什器において、
前記前側カバー部は、前記折目線よりも上方の部位に左右方向に延びるように形成された上側折目線をさらに有し、当該上側折目線を介して前記什器本体の内方にさらに折り曲げ可能に構成されているとともに、当該上側折目線と前記折目線との間隔は、前記トレーの前記側板の高さ以上の値に設定されていることを特徴とする什器。
【請求項４】
請求項１に記載の什器において、
前記什器本体の前記前壁部は、前記前側開口の下縁部から一体に延び、当該下縁部との接続部分に形成された上側折目線を有するとともに、当該上側折目線を介して前記什器本体の内方に折り曲げ可能に構成された前側カバー部を有することを特徴とする什器。
【請求項５】
請求項４に記載の什器において、
前記前側カバー部は、前記上側折目線を介して前記什器本体の外方にさらに折り曲げ可能に構成されていることを特徴とする什器。
【請求項６】
請求項３に記載の什器において、
前記什器本体の前記左右の壁部の少なくとも一方の壁部には、横側開口が形成されており、
当該横側開口の上縁部は、当該一方の壁部における前記支持部の前記上端よりも高い所定部位に位置し、当該横側開口の下縁部は、前記支持部の前記上端以下の高さの所定部位に位置していることを特徴とする什器。
【請求項７】
請求項６に記載の什器において、
前記一方の壁部には、横側カバー部が前記横側開口の下縁部から一体に延びるとともに、前記横側開口の少なくとも下側部分を覆うように設けられており、
当該横側カバー部は、前記横側開口の前記下縁部との接続部分に左右方向に延びるように形成された下横側折目線と、当該下横側折目線よりも上方の所定部位に左右方向に延びるように形成された上横側折目線と、を有し、当該下横側折目線を介して前記什器本体の外方に折り曲げ可能であるとともに当該上横側折目線を介して前記什器本体の内方に折り曲げ可能に構成されており、当該下横側折目線と当該上横側折目線との間隔が前記トレーの前記側板の高さよりも大きい値に設定されていることを特徴とする什器。
【請求項８】
請求項３に記載の什器において、
前記什器本体の前記後壁部には、後側開口が形成されており、
当該後側開口の上縁部は、当該後壁部における前記支持部の前記上端よりも高い所定部位に位置し、当該後側開口の下縁部は、前記支持部の前記上端以下の高さの所定部位に位置していることを特徴とする什器。
【請求項９】
請求項８に記載の什器において、
前記什器本体の前記後壁部には、後側カバー部が前記後側開口の下縁部から一体に延びるとともに前記後側開口の少なくとも下側部分を覆うように設けられており、
当該後側カバー部は、前記後側開口の前記下縁部との接続部分に左右方向に延びるように形成された下後側折目線と、当該下後側折目線よりも上方の所定部位に左右方向に延びるように形成された上後側折目線と、を有し、当該下後側折目線を介して前記什器本体の外方に折り曲げ可能であるとともに当該上後側折目線を介して前記什器本体の内方に折り曲げ可能に構成されており、当該下後側折目線と当該上後側折目線との間隔が前記トレーの前記側板の高さよりも大きい値に設定されていることを特徴とする什器。
【発明の詳細な説明】
【技術分野】
【０００１】
本発明は、トレーが収納される什器に関する。
【背景技術】
【０００２】
従来、什器として特許文献１に記載されたものが知られている。この什器は、多数の折目線などが形成された段ボール板紙を、折目線に沿って折り曲げ、貼り合わせることで、直方体状に組み立てられている。
【０００３】
この什器では、板状の載置台部が４つの支持部によって支持されており、この載置台上に商品を載置できるようになっている。これら４つの支持部は、什器の下側の前後左右の四つ角部の所定部位から内側にそれぞれ突出しており、各支持部は、一対の切込み及び一対の折目線で囲まれた部位を内側に折り曲げることによって形成されている。さらに、載置台部は、前面壁の３つの切込み及び１つの折目線で囲まれた部位を内側に折り曲げることによって形成されている。この載置台部を折り曲げた後の部位は、前面壁に開口し、商品を什器内に収納するための商品収納口になっている。
【先行技術文献】
【特許文献】
【０００４】
【特許文献１】実公平３−８５７２号公報
【発明の概要】
【発明が解決しようとする課題】
【０００５】
近年、包装箱として、段ボール製のラップアラウンドケースと呼ばれるものが知られている。この種の包装箱の場合、包装箱自体が開封時に上下２分割に破断され、開封後の包装箱の下半部が多数の商品を収納するトレーとして使用できるようになっている。しかしながら、このようなトレーの場合、開封後における４つの側板の上端の破断面がギザギザの状態になるとともに、そのような破断面が、商品がトレー内に収納されている状態で商品の手前に位置する状態となる。そのため、このトレーを上記特許文献１の什器の載置台部に載置し、その状態で商品をトレー内に陳列した場合、トレーの側板の破断面が商品収納口を介して前方から見えてしまい、見栄えが良くないという不都合があった。
【０００６】
本発明は、上記課題を解決するためになされたもので、トレーを収納したときの見栄えを向上させることができる什器を提供することを目的とする。
【課題を解決するための手段】
【０００７】
上記目的を達成するために、本発明は、４つの側板を有する有底四角筒状のトレーが収納される什器であって、前後左右の４つの壁部を有する筒状の什器本体と、什器本体の隣接する壁部の境界線のそれぞれにおける所定の高さから内方に突出するように設けられ、什器本体内に位置するトレーを下方から支持するための４つの支持部と、を備え、什器本体の前壁部には、トレーを什器本体内に収納するための前側開口が形成されており、前側開口の下縁部は、支持部の上端との間隔がトレーの側板の高さよりも大きい値に設定されていることを特徴とする。
【０００８】
この什器によれば、４つの支持部が筒状の什器本体の隣接する壁部の境界線のそれぞれにおける所定の高さから内方に突出するように設けられており、什器本体の前壁部は、前側開口及び前側カバー部を有している。この前側開口は、トレーを什器本体内に収納するためのものであり、４つの支持部は、什器本体内に位置するトレーを下方から支持するためのものであるので、前側開口を介して什器本体内に収納されたトレーは、４つの支持部によって支持される。
【０００９】
さらに、什器本体の前壁部には、トレーを什器本体内に収納するための前側開口が形成されており、この前側開口の下縁部は、支持部の上端との間隔がトレーの側板の高さよりも大きい値に設定されているので、トレーが前述したような破断面を前側の側板の上端に有している場合でも、これが什器本体内に収納されたときに、トレー上端の破断面が前方から見えないようにすることができる。それにより、トレーを収納したときの見栄えを向上させることができる。
【００１０】
本発明において、什器本体の前壁部は、前側開口の下縁部から下方に延びる一対の切目と、一対の切目の先端を繋いで左右方向に延びる折目線を介して什器本体の外方に折り曲げ可能に構成された前側カバー部とを有することが好ましい。
【００１１】
この什器によれば、什器本体の前壁部の一対の切目は、前側開口の下縁部から下方に延びており、前側カバー部は、一対の切目の先端を繋いで左右方向に延びる折目線を介して什器本体の外方に折り曲げ可能に構成されている。それにより、前側カバー部を什器本体の外方に折り曲げた状態では、前側開口の下側の開口面積が増大することになる。したがって、そのような状態で、トレーを前側開口を介して什器本体内に収納することにより、トレーを収納するときの作業性を向上させることができる。
【００１２】
本発明において、前側カバー部は、折目線よりも上方の部位に左右方向に延びるように形成された上側折目線をさらに有し、上側折目線を介して什器本体の内方にさらに折り曲げ可能に構成されているとともに、上側折目線と折目線との間隔は、トレーの側板の高さ以上の値に設定されていることが好ましい。
【００１３】
この什器によれば、前側カバー部は、折目線よりも上方の部位に左右方向に延びるように形成された上側折目線をさらに有し、上側折目線を介して什器本体の内方にさらに折り曲げ可能に構成されている。さらに、上側折目線と折目線との間隔は、トレーの側板の高さ以上の値に設定されているので、トレーが前述したような破断面を前側の側板の上端に有している場合でも、これが什器本体内に収納されたときに、トレー上端の破断面が前方から見えないようにすることができる。それにより、トレーを収納したときの見栄えを向上させることができる。
【００１４】
本発明において、什器本体の前壁部は、前側開口の下縁部から一体に延び、下縁部との接続部分に形成された上側折目線を有するとともに、上側折目線を介して什器本体の内方に折り曲げ可能に構成された前側カバー部を有することが好ましい。
【００１５】
この什器によれば、前側カバー部が、上側折目線を介して什器本体の内方に折り曲げ可能に構成されているので、トレーが前述したような破断面を側板の上端に有している場合でも、このトレーが４つの支持部によって支持されている状態で、前側カバー部を上側折目線を介して什器本体の内方に折り曲げることにより、トレー上端の破断面が前方から見えないように覆うことができる。それにより、トレーを収納したときの見栄えを向上させることができる。
【００１６】
本発明において、前側カバー部は、上側折目線を介して什器本体の外方にさらに折り曲げ可能に構成されていることが好ましい。
【００１７】
この什器によれば、前側カバー部は、上側折目線を介して什器本体の外方にさらに折り曲げ可能に構成されているので、前側カバー部を什器本体の外方に折り曲げた状態では、前側開口の下側の開口面積が増大することになる。したがって、そのような状態で、トレーを前側開口を介して什器本体内に収納することにより、トレーを収納するときの作業性を向上させることができる。
【００１８】
本発明において、什器本体の左右の壁部の少なくとも一方の壁部には、横側開口が形成されており、横側開口の上縁部は、一方の壁部における支持部の上端よりも高い所定部位に位置し、横側開口の下縁部は、支持部の上端以下の高さの所定部位に位置していることが好ましい。
【００１９】
この什器によれば、什器本体の左右の壁部の少なくとも一方の壁部には、横側開口が形成されている。そして、横側開口の上縁部は、一方の壁部における支持部の上端よりも高い所定部位に位置し、横側開口の下縁部は、支持部の上端以下の高さの所定部位に位置しているので、トレーを前側開口から収納する際、この横側開口を介して片手を什器本体内に差し込むことで、トレーの収納動作を両手で実行することができる。それにより、トレーの什器本体内への収納時の作業性を向上させることができる。
【００２０】
本発明において、一方の壁部には、横側カバー部が横側開口の下縁部から一体に延びるとともに、横側開口の少なくとも下側部分を覆うように設けられており、横側カバー部は、横側開口の下縁部との接続部分に左右方向に延びるように形成された下横側折目線と、下横側折目線よりも上方の所定部位に左右方向に延びるように形成された上横側折目線と、を有し、下横側折目線を介して什器本体の外方に折り曲げ可能であるとともに上横側折目線を介して什器本体の内方に折り曲げ可能に構成されており、下横側折目線と上横側折目線との間隔がトレーの側板の高さよりも大きい値に設定されていることが好ましい。
【００２１】
この什器によれば、一方の壁部には、横側カバー部が横側開口の下縁部から一体に延びるとともに、横側開口の少なくとも下側部分を覆うように設けられている。この横側カバー部は、下横側折目線を介して什器本体の外方に折り曲げ可能であるとともに、この下横側折目線は、横側開口の下縁部との接続部分に左右方向に延びるように形成されている。したがって、横側カバー部を、下横側折目線を介して什器本体の外方に折り曲げた場合、横側開口の下側の開口面積が増大することになるので、トレーの収納動作をより容易に実行することができ、トレーの什器本体内への収納時の作業性をさらに向上させることができる。
【００２２】
また、横側カバー部は、上横側折目線を介して什器本体の内方に折り曲げ可能に構成されているとともに、この上横側折目線は、下横側折目線よりも上方の所定部位に左右方向に延びるように形成され、下横側折目線との間隔がトレーの側板の高さよりも大きい値に設定されている。したがって、トレーが破断面を横側の側板の上端に有するトレーである場合、このトレーが４つの支持部によって支持されている状態で、横側カバー部を横側開口を覆う位置まで戻した後、上横側折目線を介して什器本体の内方に折り曲げることにより、トレーの横側の側板における上端の破断面が横側から見えないように覆うことができる。それにより、トレーを什器本体内に収納したときの見栄えを確実に向上させることができる。
【００２３】
本発明において、什器本体の後壁部には、後側開口が形成されており、後側開口の上縁部は、後壁部における支持部の上端よりも高い所定部位に位置し、後側開口の下縁部は、支持部の上端以下の高さの所定部位に位置していることが好ましい。
【００２４】
この什器によれば、什器本体の後壁部には、後側開口が形成されている。そして、後側開口の上縁部は、後壁部における支持部の上端よりも高い所定部位に位置し、後側開口の下縁部は、支持部の上端以下の高さの所定部位に位置している。したがって、トレーを前側開口から収納する際、この後側開口を介して片手を什器本体内に差し込むことで、トレーの収納動作を両手で実行することができる。それにより、トレーの什器本体内への収納時の作業性を向上させることができる。
【００２５】
本発明において、什器本体の後壁部には、後側カバー部が後側開口の下縁部から一体に延びるとともに後側開口の少なくとも下側部分を覆うように設けられており、後側カバー部は、後側開口の下縁部との接続部分に左右方向に延びるように形成された下後側折目線と、下後側折目線よりも上方の所定部位に左右方向に延びるように形成された上後側折目線と、を有し、下後側折目線を介して什器本体の外方に折り曲げ可能であるとともに上後側折目線を介して什器本体の内方に折り曲げ可能に構成されており、下後側折目線と上後側折目線との間隔がトレーの側板の高さよりも大きい値に設定されていることが好ましい。
【００２６】
この什器によれば、什器本体の後壁部には、後側カバー部が後側開口の下縁部から一体に延びるとともに、後側開口の少なくとも下側部分を覆うように設けられている。この後側カバー部は、下後側折目線を介して什器本体の外方に折り曲げ可能に構成されているとともに、この下後側折目線は、後側開口の下縁部との接続部分に左右方向に延びるように形成されている。したがって、後側カバー部を、第２後側折目線を介して什器本体の外方に折り曲げた場合、後側開口下側の開口面積が増大することになるので、トレーの収納動作をより容易に実行することができ、トレーの什器本体内への収納時の作業性をさらに向上させることができる。
【００２７】
また、後側カバー部は、上後側折目線を介して什器本体の内方に折り曲げ可能に構成されている。この上後側折目線は、下後側折目線よりも上方の所定部位に左右方向に延びるように形成され、下後側折目線との間隔がトレーの側板の高さよりも大きい値に設定されている。したがって、トレーが破断面を後側の側板の上端に有する場合、このトレーが４つの支持部によって支持されている状態で、後側カバー部を後側開口を覆う位置まで戻した後、上後側折目線を介して什器本体の内方に折り曲げることにより、トレーの後側の側板における上端の破断面が後側から見えないように覆うことができる。それにより、トレーを什器本体内に収納したときの見栄えを確実に向上させることができる。
【図面の簡単な説明】
【００２８】
【図１】本発明の第１実施形態に係る什器の構成を示す斜視図である。
【図２】図１の什器の組み立て前の段ボール板紙の構成を示す図である。
【図３】什器の前側カバー部を下方に折り曲げた状態を示す斜視図である。
【図４】図３の状態で、トレーを什器本体に収納する動作を示す断面図である。
【図５】図４の状態から前側カバー部を上方に折り曲げた状態を示す断面図である。
【図６】図５の状態から前側カバー部を下方に折り曲げた状態を示す断面図である。
【図７】図６の状態から前側カバー部を下方に折り曲げた状態を示す断面図である。
【図８】商品を図１の什器に陳列した状態を示す正面図である。
【図９】第２実施形態に係る什器の構成を示す斜視図である。
【図１０】図９の什器の組み立て前の段ボール板紙の構成を示す図である。
【図１１】図９の什器の前側カバー部及び横側カバー部を下方に折り曲げた状態を示す斜視図である。
【図１２】図１１の状態で、トレーを什器本体に収納する動作を示す斜視図である。
【図１３】トレーを什器本体に収納した後、前側カバー部及び横側カバー部を什器本体内に折り曲げた状態を示す斜視図である。
【図１４】商品を図９の什器に陳列した状態を示す斜視図である。
【図１５】第３実施形態に係る什器の構成を示す斜視図である。
【図１６】図１５の什器の背面図である。
【図１７】図１５の什器の組み立て前の段ボール板紙の構成を示す図である。
【図１８】図１５の什器の前側カバー部及び後側カバー部を下方に折り曲げた状態を示す断面図である。
【図１９】図１８の状態で、トレーを什器本体に収納する動作を示す断面図である。
【図２０】トレーを什器本体に収納した後、前側カバー部及び後側カバー部をトレー内に折り曲げた状態を示す断面である。
【図２１】商品を図１５の什器に陳列した状態を示す背面図である。
【図２２】第４実施形態に係る什器の構成を示す斜視図である。
【図２３】図２２の什器の組み立て前の段ボール板紙の構成を示す図である。
【発明を実施するための形態】
【００２９】
以下、図面を参照しながら、本発明の第１実施形態に係る什器について説明する。図１に示すように、本実施形態の什器１は、後述するトレー２を内部に収納した状態で、これを介して商品Ｓ（図８参照）などを陳列するためのものであり、外観が縦長のほぼ直方体状に形成されている。
【００３０】
なお、以下の説明においては、図１の矢印Ｘ−Ｘ’で示す方向を「前後方向」、矢印Ｙ−Ｙ’で示す方向を「左右方向」、上下方向を「上下方向」とそれぞれ呼ぶとともに、各構成要素についても同様に称する。以上の点は、後述する図９及び図１５においても同様である。
【００３１】
同図に示すように、什器１は、什器本体１０を備えており、この什器本体１０は、前壁部１１、左壁部１２、右壁部１３及び後壁部１４で構成されている。これらの４つの壁部１１〜１４はいずれも、互いに同じ高さの縦長矩形の形状を有し、一体に形成されている。さらに、前壁部１１及び後壁部１４は互いに同じ横幅を有し、左右の壁部１２，１３も互いに同じ横幅を有している。それにより、什器本体１０は、縦長のほぼ直方体状で中空の筒状に構成されている。
【００３２】
この什器本体１０の四隅すなわち隣り合う各２つの壁部の接続部には、合計１２個の支持部１５が設けられている。１２個の支持部１５の各々は、前後方向に延びる矩形の板部と、左右方向に延びる矩形の板部とを、平面視した状態で互いに直交するように連設したものであり、支持部１５の上端面は水平に配置されている。
【００３３】
これらの支持部１５では、４個の支持部１５が什器本体１０の隣り合う各２つの壁部の境界線上の同じ高さに設けられており、これら４個の支持部１５を１組として、上中下の計３組の支持部１５が上下方向に配置されている。上側の１組の支持部１５は、その上端が什器本体１０の上端から所定距離ｄ１分、下方になるように配置されており、この所定距離ｄ１は、後述するトレー２の前側板２ａの高さｈ（図３参照）よりも大きい値に設定されている。この理由については後述する。
【００３４】
また、什器本体１０の前壁部１１には、上下２つの前側開口１６，１６と、前側開口１６，１６の各々の下側部分を覆う前側カバー部１７とが設けられている。２つの前側開口１６，１６は、上下方向に所定間隔を存して配置されており、左右の壁部１２，１３の前端部が各前側開口１６の左右の縁部になっている。それにより、前側開口１６の左右方向の幅は左右の壁部１２，１３の内壁面間の距離とほぼ同じになっている。また、前側開口１６の上縁部は、左右方向に延びている。
【００３５】
さらに、前側カバー部１７は、ほぼ矩形の板状部材であり、その幅は、前側開口１６の左右方向の幅とほぼ同じになっている。前側カバー部１７の上端部は、左右方向に延びており、その中央部には、作業者が指を引っかけるための、円弧状の切欠き１７ａが形成されている。また、前側カバー部１７の下端部は、前壁部１１との接続部分になっている。
【００３６】
この前側カバー部１７には、一対の第１折目線ｆ１，ｆ１及び第２折目線ｆ２が形成されている。一対の第１折目線ｆ１，ｆ１は、前側カバー部１７の中央の部位に設けられ、前側カバー部１７の両端間において、互いに平行に左右方向に延びている。
【００３７】
これらの第１折目線ｆ１，ｆ１は、前側カバー部１７の折曲げ作業を容易に行うための線（例えば、ミシン目状の線）であり、前側カバー部１７の表裏面に形成されている（図１，３参照）。この点は後述する他の折目線においても同様である。
【００３８】
前側カバー部１７は、一対の第１折目線ｆ１，ｆ１を介して、什器本体１０の内側に２段階に折り曲げ可能になっている。また、一対の第１折目線ｆ１，ｆ１の下側の第１折目線ｆ１と第２折目線ｆ２との間隔ｄ２は、トレー２の前側板２ａの高さｈよりも大きい値に設定されている。それにより、後述するように、トレー２を什器本体１０内に収納する際、一対の第１折目線ｆ１，ｆ１を介して、前側カバー部１７を什器本体１０の内側に２段階に折り曲げることで、トレー２の前側板２ａを覆うことができる（図５〜７参照）。
【００３９】
また、第２折目線ｆ２は、前側カバー部１７の前壁部１１との接続部分に設けられており、前側カバー部１７の両端間において、第１折目線ｆ１，ｆ１と平行に左右方向に延びている。前側カバー部１７は、この第２折目線ｆ２を介して手前に折り曲げ可能になっている。それにより、後述するように、トレー２を什器本体１０内に収納する際、前側カバー部１７を、第２折目線ｆ２を介して手前に折り曲げることができる（図４参照）。
【００４０】
本実施形態の什器本体１０は、図２に示す段ボール板紙１０’を原紙から打抜いて形成し、これを折り曲げて組み立てられたものである。以下、この段ボール板紙１０’の構成について説明する。
【００４１】
同図に示すように、段ボール板紙１０’は、一部を除いて矩形状のものであり、左側から右側に向かって、フラップ１２ａ、左壁部１２、前壁部１１、右壁部１３及び後壁部１４が一体に連設されている。
【００４２】
この段ボール板紙１０’には、一対の切込みｃ１，ｃ１（切目）を１組として、上中下の３組の切込みｃ１，ｃ１が上下方向に一直線上に並ぶように形成されているとともに、これら３組の切込みｃ１，ｃ１が左右方向の４箇所において、同じ高さの位置に設けられている。すなわち、合計１２組の切込みｃ１，ｃ１が段ボール板紙１０’に形成されている。また、一対の切込みｃ１，ｃ１は互いに同じ長さで左右方向に互いに平行に延びている。
【００４３】
フラップ１２ａは、その上下端部が斜めに切り欠かれた台形板状のものであり、左壁部１２から一体に左方に突出している。このフラップ１２ａと左壁部１２との接続部分には、第３折目線ｆ３が形成されている。
【００４４】
この第３折目線ｆ３は、フラップ１２ａと左壁部１２との接続部分の上端から下端まで延びており、その途中には、上中下の３組の切込みｃ１，ｃ１が第３折目線ｆ３を横切るように所定位置に形成されている。
【００４５】
上側の１組の切込みｃ１，ｃ１は、左壁部１２の上端から前述した所定距離分、下方の位置に設けられており、互いに平行に所定間隔で左右方向に延びているとともに、第３折目線ｆ３を中心として左右対称な長さを有している。この上側の１組の切込みｃ１，ｃ１の場合、その上側に位置する切込みｃ１と左壁部１２の上端との間隔は、前述した所定距離ｄ１（図１参照）に設定されている。
【００４６】
また、中央の１組の切込みｃ１，ｃ１は、上側の１組の切込みｃ１，ｃ１よりも下方の所定位置に配置されており、下側の１組の切込みｃ１，ｃ１は、中央の１組の切込みｃ１，ｃ１よりも下方の所定位置に配置されている。
【００４７】
一方、左壁部１２と前壁部１１は、上中下の３箇所の接続部分で接続されている。これら３箇所の接続部分にはそれぞれ、上中下の３つの第４折目線ｆ４，ｆ４，ｆ４と、これら３つの第４折目線ｆ４，ｆ４，ｆ４をそれぞれ横切るように、上中下の３組の切込みｃ１，ｃ１が設けられている。
【００４８】
これらの第４折目線ｆ４を横切っている３組の切込みｃ１，ｃ１はそれぞれ、第３折目線ｆ３を横切っている３組の切込みｃ１，ｃ１と同じ高さの位置に設けられている。より具体的には、中央の１組の切込みｃ１，ｃ１の場合、その上側に位置する切込みｃ１は、第２折目線ｆ２と同じ高さの位置に設けられている。
【００４９】
これと同様に、下側の１組の切込みｃ１，ｃ１でも、その上方の切込みｃ１は、第２折目線ｆ２と同じ高さの位置に設けられている。これは、後述するように、前側カバー部１７を第２折目線ｆ２に沿って手前に折り曲げたときに、前側カバー部１７の上面と支持部１５の上端面との間の段差を小さくするためである。
【００５０】
また、この段ボール板紙１０’では、一対の切込みｃ２，ｃ２がそれぞれ、各前側カバー部１７の左右両端部と左右の壁部１２，１３との間に形成されている。一対の切込みｃ２，ｃ２はそれぞれ、第４折目線ｆ４及び後述する第５折目線ｆ５と同一直線上に位置し、前側カバー部１７の上端と、第２折目線ｆ２と同じ高さに位置する切込みｃ１との間に延びている。それにより、各前側カバー部１７の左右両端部は、左右の壁部１２，１３から切り離された状態になっている。
【００５１】
さらに、前壁部１１と右壁部１３は、３箇所の接続部分で接続されている。これら３箇所の接続部分にはそれぞれ、上中下の３つの第５折目線ｆ５，ｆ５，ｆ５と、これら３つの第５折目線ｆ５，ｆ５，ｆ５をそれぞれ横切るように、上中下の３組の切込みｃ１，ｃ１が設けられている。これら３組の切込みｃ１，ｃ１は、第４折目線ｆ４を横切っている３組の切込みｃ１，ｃ１と同じ高さに配置されている。
【００５２】
さらに、右壁部１３と後壁部１４との接続部分には、第６折目線ｆ６が形成されている。この第６折目線ｆ６は、接続部分の上端から下端まで延びており、その途中には、上中下の３組の切込みｃ１，ｃ１が第６折目線ｆ６を横切るように所定位置に形成されている。これら上中下の３組の切込みｃ１，ｃ１は、前述したように、第３〜第５折目線ｆ３〜ｆ５を横切っている上中下の３組の切込みｃ１，ｃ１と同じ高さに設けられている。
【００５３】
次に、以上の図２に示す段ボール板紙１０’から図１に示す什器本体１０を組み立てる手順について説明する。なお、以下の組み立て作業はすべて作業者の手作業によって実施される。
【００５４】
まず、段ボール板紙１０’のフラップ１２ａ及び左壁部１２を、第３折目線ｆ３を介して互いに直交する状態まで折り曲げるとともに、左壁部１２及び前壁部１１を、第４折目線ｆ４を介して互いに直交する状態まで折り曲げる。
【００５５】
これと同様に、前壁部１１及び右壁部１３を、第５折目線ｆ５を介して互いに直交する状態まで折り曲げるとともに、右壁部１３及び後壁部１４を、第６折目線ｆ６を介して互いに直交する状態まで折り曲げる。
【００５６】
次いで、１２組の切込みｃ１，ｃ１において、各組の切込みｃ１，ｃ１の間を指で押圧し、内側に突出するように折り曲げることにより、計１２個の支持部１５を形成する。その後、後壁部１４の先端面が左壁部１２の外表面と面一になっている状態で、フラップ１２ａの外表面を接着剤を介して、後壁部１４の内面に接着する。以上により、什器本体１０が段ボール板紙１０’から組み立てられる。
【００５７】
なお、什器本体１０を段ボール板紙１０’から組み立てる作業手法は、上記の手法に限られるものではない。例えば、接着剤に代えて、マジックテープ（登録商標）により、フラップ１２ａを後壁部１４に固定してもよく、機械貼りにより、フラップ１２ａを後壁部１４に固定してもよい。
【００５８】
次に、以上のように構成された什器１において、トレー２を什器本体１０内に収納し、商品Ｓを陳列する場合の動作について説明する。この場合のトレー２は、ラップアラウンドケースを上下２つに破断したときの下半部に相当するものである。
【００５９】
また、以下の説明では、上側の前側開口１６及び前側カバー部１７を介して、トレー２を什器本体１０内に収納する場合を例にとって説明する。なお、以下の動作はすべて作業者の手作業によるものとする。
【００６０】
まず、図３に示すように、前側カバー部１７を、前壁部１１に対して直角な状態すなわち水平な状態になるまで、第２折目線ｆ２に沿って手前に折り曲げる。次いで、トレー２を準備する。
【００６１】
トレー２は、前側板２ａ、左右の側板２ｂ，２ｃ及び後側板２ｄなどを備えており、４つの側板２ａ〜２ｄは、互いに同じ高さｈに設定されている。また、図示しないが、側板２ａ〜２ｄの上端面はギザギザの破断面になっている。このトレー２の場合、その幅と奥行は、什器本体１０の内部空間における幅及び奥行よりも若干、小さい値になっている。
【００６２】
次に、図４に示すように、トレー２の底面を前側カバー部１７の上面を摺動させながら、前側開口１６を介して、トレー２を図中に実線で示す位置まで什器本体１０内に差し込む。その際、前側カバー部１７の上面は、支持部１５の上端面よりも若干、高い位置にあって、両者の段差が小さい状態になっているので、トレー２は、前側の左右の支持部１５，１５に案内されながら円滑に移動し、什器本体１０内に収納される。それにより、トレー２は、その四隅の底面が４つの支持部１５によって支持された状態となる。
【００６３】
次いで、図５に示すように、前側カバー部１７を、前壁部１１に対して平行な状態になるまで、第２折目線ｆ２に沿って上方に折り曲げる。さらに、図６に示すように、前側カバー部１７を、下側の折目線ｆ１に沿って下方に折り曲げる。その後、図７に示すように、前側カバー部１７を、奥側の折目線ｆ１に沿って下方に折り曲げることにより、トレー２の前側板２ａの上端の破断面が、前側カバー部１７によって覆われた状態になる。
【００６４】
この場合、前側カバー部１７の幅は、什器本体１０の内寸（すなわち左右の壁部１２，１３の内面間の距離）とほぼ同一であり、トレー２の内寸（すなわち左右の側板２ｂ，２ｃの内面間の距離）よりも若干、大きくなっているので、前側カバー部１７は、下方に折り曲げられる際、トレー２の左右の側板２ｂ，２ｃ間に圧入されることになる。それにより、前側カバー部１７は、下方に折り曲げられた後、図７に実線で示す位置に保持される。
【００６５】
以上のように、トレー２を什器本体１０内に収納した後、多数の商品Ｓを前側開口１６を介してトレー２内に並べることにより、商品Ｓの陳列が終了する。この状態では、図８に示すように、商品購入者が前側開口１６を介して商品Ｓを参照した際、トレー２の前側板２ａの上端の破断面が前側カバー部１７によって覆われていることで、この破断面が見えず、商品Ｓしか見えない状態となる。それにより、商品Ｓを什器１に陳列したときの見栄えを向上させることができる。
【００６６】
なお、商品Ｓをトレー２内に並べるタイミングは、上記のタイミングに限らず、トレー２が什器本体１０内に収納された以降のタイミングであればよい。例えば、前側カバー部１７が図４に示す状態に保持されているときに、商品Ｓをトレー２内に並べるようにしてもよい。
【００６７】
この什器１では、以上の手順により、トレー２を、上側の前側開口１６及び上側の前側カバー部１７を介して什器本体１０内に収納することができる。また、以上と同様の手順により、トレー２を、下側の前側開口１６及び下側の前側カバー部１７を介して什器本体１０内に収納することもできる。
【００６８】
これに加えて、トレー２を、什器本体１０の上端開口を介して、什器本体１０内に差し込み、トレー２の底面を上側の４つの支持部１５に当接させることによって、トレー２を什器本体１０内に収納することができる。
【００６９】
その状態では、什器本体１０の前壁部１１の上端と支持部１５の上端との間の間隔ｄ１が、トレー２の前側板２ａよりも大きくなっていることで、商品購入者が什器１を正面から見たときに、トレー２の前側板２ａの上端の破断面が見えない状態となる。それにより、商品Ｓを什器１に陳列したときの見栄えを向上させることができる。
【００７０】
以上のように、第１実施形態の什器１では、合計３個のトレー２を什器本体１０に収納することができる。その状態で、３つのトレー２の前側板２ａの上端の破断面が前方から見えない状態にすることができ、消費者の商品購入意欲の低下を回避できる。その結果、什器自体の商品性を向上させることができる。
【００７１】
なお、第１実施形態は、什器本体１０を段ボール紙１０’で構成した例であるが、本発明の什器本体はこれに限らず、合成樹脂などの他の材質で構成してもよい。
【００７２】
また、第１実施形態は、４つの支持部１５の各々を、前後方向に延びる矩形の板部と、左右方向に延びる矩形の板部とが互いに直交しながら連設されている構成とした例であるが、本発明の４つの支持部はこれに限らず、器本体の互いに隣接する壁部の境界線のそれぞれにおける所定の高さから内方に突出するように設けられ、什器本体内に位置するトレーを下方から支持できるものであればよい。例えば、４つの支持部として、什器本体の四隅の所定部位から内方に平面視して円弧状にそれぞれ突出するものを用いてもよい。
【００７３】
さらに、第１実施形態は、什器本体１０を合計３個のトレー２を収納することができるように構成した例であるが、例えば、前壁部１１における前側開口１６及び前側カバー部１７の数を変更することにより、２個又は４個以上のトレー２を収納できるように構成してもよい。
【００７４】
また、第１実施形態の什器本体１０の前側カバー部１７において、第１折目線ｆ１，ｆ１を省略し、第２折目線ｆ２のみを介して外方に折り曲げ可能に構成してもよい。その場合には、前側カバー部１７の上端と第２折目線ｆ２との間隔をトレー２の壁部の高さｈよりも高く設定し、トレー２を前方から見たときに、トレー２の前側板２ａの上端の破断面が見えないようにすればよい。
【００７５】
次に、図９〜１４を参照しながら、本発明の第２実施形態に係る什器１Ａについて説明する。本実施形態の什器１Ａは、第１実施形態の什器１と比較すると、一部を除いて同様に構成されているので、以下、異なる点を中心に説明する。また、第１実施形態の什器１と同一の構成に対しては同じ符号を付すとともに、その説明を省略する。
【００７６】
同図に示すように、什器１Ａは、什器本体１０Ａを備えており、この什器本体１０Ａは、第１実施形態の什器本体１０と比べて、前壁部１１の一部の構成と、左右の壁部１２，１３の構成が異なっているので、以下、これらの点について説明する。
【００７７】
この什器本体１０Ａの前壁部１１には、２つの前側開口１６Ａ，１６Ａと、前側開口１６Ａ，１６Ａの各々の下側部分を覆う前側カバー部１７Ａとが設けられている。各前側開口１６Ａは、矩形に構成されており、その幅が前述した前側開口１６と同じサイズになっている。
【００７８】
また、前側カバー部１７Ａは、ほぼ矩形に構成されており、その幅が第１実施形態の前側カバー部１７と同じサイズで、その下端部すなわち前壁部１１との接続部分が前側カバー部１７よりも所定距離ｄ２分、高い位置になっている。
【００７９】
この前側カバー部１７Ａの下端部には、前述した一対の第１折目線ｆ１，ｆ１が形成されている。これらの第１折目線ｆ１，ｆ１は、前側カバー部１７Ａの両端間に左右方向に延びるとともに、互いに平行に設けられている。
【００８０】
これらの第１折目線ｆ１，ｆ１のうち、下側の第１折目線ｆ１は、前側カバー部１７Ａと前壁部１１の接続部分に配置されている。前側カバー部１７Ａは、一対の第１折目線ｆ１，ｆ１を介して、什器本体１０Ａの内側に２段階に折り曲げ可能であるとともに、下側の第１折目線ｆ１を介して、下側に折り曲げ可能になっている。
【００８１】
それにより、後述するように、トレー２を什器本体１０Ａ内に収納する際、前側カバー部１７Ａを、下側の第１折目線ｆ１を介して、下側に折り曲げることで、前側開口１６Ａの開口面積を拡げ、トレー２を什器本体１０Ａ内に容易に差し込むことができる（図１１参照）。
【００８２】
さらに、トレー２を什器本体１０Ａ内に収納した後、前側カバー部１７Ａを、図９に示す状態に戻してから、一対の第１折目線ｆ１，ｆ１を介して、２段階に奥側に折り曲げることで、トレー２の前側板２ａを覆うことができる（図１３，１４参照）。
【００８３】
また、左右の壁部１２，１３は、互いに同様に構成されているので、以下、右壁部１３の構成を例にとって説明する。この右壁部１３には、１つの切欠き１８と、上下２つの横側開口１９，１９と、横側開口１９，１９の各々の下側部分を覆う横側カバー部２０とが設けられている。
【００８４】
これらの切欠き１８及び上下２つの横側開口１９，１９は、互いに同じ前後方向の幅を有し、右壁部１３の上下方向に整列した状態で並んでいる。切欠き１８は、右壁部１３の上端部に設けられており、矩形で上方に開放されている。
【００８５】
この切欠き１８の下縁は、支持部１５の上端よりも低い高さになっている。これは、後述するように、トレー２を什器本体１０Ａの上端開口から収納する際、作業者の片手の自由度を向上させ、作業性を向上させるためである。
【００８６】
一方、各横側開口１９は、矩形に構成され、その上縁が前側開口１６Ａの上縁と同じ高さになっている。なお、横側開口１９の上縁と前側開口１６Ａの上縁が異なる高さになっていてもよい。また、横側開口１９の左縁と右壁部１３の左端の間隔、及び横側開口１９の右縁と右壁部１３の右端の間隔は、所定値ｄ３に設定されている。
【００８７】
さらに、横側開口１９の下縁は、支持部１５の上端よりも低い位置になっている。これは、後述するように、両手を前側開口１６Ａ及び横側開口１９から差し込んでトレー２の収納作業を実施する際、横側開口１９から差し込んだ片手の自由度を向上させ、作業性を向上させるためである。
【００８８】
さらに、横側カバー部２０は、ほぼ矩形の板状部材であり、その幅は、横側開口１９の前後方向の幅とほぼ同じになっている。横側カバー部２０の上端部は、左右方向に延びており、その中央部には、作業者が指を引っかけるための、円弧状の切欠き２０ａが形成されている。また、横側カバー部２０の下端部は、右壁部１３との接続部分になっている。
【００８９】
この横側カバー部２０には、一対の第１横側折目線ｆ１１，ｆ１１及び第２横側折目線ｆ１２が形成されている。一対の第１横側折目線ｆ１１，ｆ１１は、横側カバー部２０のほぼ中央の部位に設けられ、横側カバー部２０の両端間において、互いに平行に前後方向に延びている。
【００９０】
横側カバー部２０は、一対の第１横側折目線ｆ１１，ｆ１１を介して、什器本体１０Ａの内側に２段階に折り曲げ可能になっている。また、一対の第１横側折目線ｆ１１，ｆ１１の下側の第１横側折目線ｆ１１と支持部１５の上端との間隔は、トレー２の右側板２ｃの高さｈよりも大きい値に設定されている。それにより、後述するように、トレー２を什器本体１０Ａ内に収納する際、横側カバー部２０を、一対の第１横側折目線ｆ１１，ｆ１１を介して什器本体１０Ａの内側に２段階に折り曲げることで、トレー２の右側板２ｃを覆うことができる（図１３，１４参照）。
【００９１】
また、第２横側折目線ｆ１２は、横側カバー部２０の右壁部１３との接続部分に設けられており、横側カバー部２０の両端間において、第１横側折目線ｆ１１，ｆ１１と平行に前後方向に延びている。横側カバー部２０は、この第２横側折目線ｆ１２を介して下方に折り曲げ可能になっている。それにより、後述するように、トレー２を什器本体１０Ａ内に収納する際、横側カバー部２０を、第２横側折目線ｆ１２を介して下方折り曲げることで、横側開口１９の開口面積を拡げることができる（図１１参照）。
【００９２】
右壁部１３は、以上のように構成されており、左壁部１２もこれと同様に構成されている。
【００９３】
本実施形態の什器本体１０Ａは、図１０に示す段ボール板紙１０Ａ’を原紙から打抜いて形成し、これを折り曲げて組み立てられたものである。以下、この段ボール板紙１０Ａ’の構成について説明する。この段ボール板紙１０Ａ’の場合、什器本体１０Ａについて説明した内容に加えて、以下のように構成されている。
【００９４】
この段ボール板紙１０Ａ’の前壁部１１には、一対の切込みｃ３，ｃ３が、各前側カバー部１７Ａの左右両端部と左右の壁部１２，１３との間に形成されている。これらの切込みｃ３，ｃ３はそれぞれ、第４折目線ｆ４及び第５折目線ｆ５と同一直線上に位置し、前側カバー部１７Ａの上端と一対の第１折目線ｆ１，ｆ１のうちの下方の第１折目線ｆ１との間に延びている。それにより、各前側カバー部１７Ａの左右端部は、左右の壁部１２，１３から切り離された状態になっている。
【００９５】
さらに、右壁部１３には、一対の切込みｃ４，ｃ４が、各横側カバー部２０の両端部と右壁部１３との間に形成されている。これらの切込みｃ４，ｃ４はそれぞれ、横側カバー部２０の上端と第２横側折目線ｆ１２との間に延びており、それにより、横側カバー部２０は、右壁部１３から切り離された状態になっている。以上と同様に、左壁部１２にも、一対の切込みｃ４，ｃ４が形成されている。
【００９６】
以上の図１０に示す段ボール板紙１０Ａ’から図９に示す什器本体１０Ａを組み立てる手順は、前述した第１実施形態の段ボール板紙１０’から什器本体１０を組み立てる手順と同じであるので、その説明を省略する。
【００９７】
次に、以上のように構成された什器１Ａにおいて、トレー２を什器本体１０Ａ内に収納し、商品Ｓを陳列する場合の動作について説明する。以下の説明では、上側の前側開口１６Ａ及び前側カバー部１７Ａと、上側の横側開口１９及び横側カバー部２０とを介して、トレー２を什器本体１０Ａ内に収納する場合を例にとって説明する。なお、以下の動作はすべて作業者の手作業によるものとする。
【００９８】
まず、図１１に示すように、前側カバー部１７Ａを、前壁部１１に対して直角な状態すなわち水平な状態になるまで、下側の第１折目線ｆ１に沿って手前側に折り曲げる。さらに、横側カバー部２０を、右壁部１３に対して直角な状態になるまで第２横側折目線ｆ１２に沿って右側に折り曲げる。
【００９９】
次に、図１２に示すように、左手Ｌｈでトレー２を把持しながら、前側開口１６Ａを介して什器本体１０Ａ内に差し込むとともに、右手Ｒｈを什器本体１０Ａ内に差し込み、両手Ｌｈ，Ｒｈでトレー２を把持する。そして、その状態で、トレー２を、その四隅の底面が４つの支持部１５によって支持される位置まで移動させる。以上により、トレー２が什器本体１０Ａ内に収納される。
【０１００】
この場合、第２横側折目線ｆ１２が支持部１５の上端よりも低い位置に設けられているので、収納作業の際、右手Ｒｈをトレー２の収納位置（すなわちトレー２の底面が支持部１５の上端面に当接する位置）まで自由に動かすことができ、トレー２の収納作業を容易に行うことができる。
【０１０１】
次いで、前側カバー部１７Ａを、前壁部１１に対して平行な状態（図９に示す状態）になるまで、下側の第１折目線ｆ１に沿って上方に折り曲げる。さらに、横側カバー部２０を、右壁部１３に対して平行な状態（図９に示す状態）になるまで、第２横側折目線ｆ１２に沿って上方に折り曲げる。
【０１０２】
その後、図１３に示すように、前側カバー部１７Ａを、前壁部１１に対して直交する状態になるまで、下側の第１折目線ｆ１に沿って什器本体１０Ａの奥側に折り曲げる。さらに、左右２つの横側カバー部２０をそれぞれ、左右の壁部１２，１３に対して直交する状態になるまで、下側の第１横側折目線ｆ１１に沿って什器本体１０Ａの奥側に折り曲げる。
【０１０３】
次いで、前側カバー部１７Ａを、奥側の第１折目線ｆ１に沿って下方に折り曲げる。それにより、トレー２の前側板２ａの上端の破断面が前側カバー部１７Ａによって覆われた状態になる（図１４参照）。この場合、前述した前側カバー部１７と同じ理由により、前側カバー部１７Ａは、下方に折り曲げられた状態に保持される。
【０１０４】
さらに、左右２つの横側カバー部２０をそれぞれ、奥側の第１横側折目線ｆ１１に沿って下方に折り曲げる。それにより、トレー２の左右の側板２ｂ，２ｃの上端の破断面がそれぞれ、左右の横側カバー部２０によって覆われた状態になる（図１４参照）。
【０１０５】
以上のように、トレー２を什器本体１０Ａ内に収納した後、多数の商品Ｓをトレー２内に並べることにより、商品Ｓの陳列が終了する。この状態では、図１４に示すように、商品購入者が前側開口１６Ａ及び左右の横側開口１９，１９を介して商品Ｓを参照した際、トレー２の前側板２ａ及び左右の側板２ｂ，２ｃの上端の破断面がそれぞれ、前側カバー部１７Ａ及び２つの横側カバー部２０，２０によって覆われていることで、これらの破断面が見えず、商品Ｓしか見えない状態となる。それにより、商品Ｓを什器１Ａに陳列したときの見栄えを向上させることができる。
【０１０６】
この什器１Ａでは、以上の手順により、トレー２を、上側の前側開口１６Ａ及び上側の前側カバー部１７Ａと、右壁部１３（又は左壁部１２）における上側の横側開口１９及び上側の横側カバー部２０を介して什器本体１０Ａ内に収納することができる。また、以上と同様の手順により、トレー２を、下側の前側開口１６Ａ及び下側の前側カバー部１７Ａと、右壁部１３（又は左壁部１２）における下側の横側開口１９及び下側の横側カバー部２０を介して什器本体１０Ａ内に収納することができる。
【０１０７】
これに加えて、トレー２を、什器本体１０Ａの上端開口を介して、什器本体１０Ａ内に差し込み、トレー２の底面を最上位の４つの支持部１５に当接させることによって、トレー２を什器本体１０Ａ内に収納することができる。その際、前述したように、切欠き１８の下縁は、支持部１５の上端よりも低い高さになっているので、トレー２を什器本体１０Ａの上方から収納する際、作業者の片手の自由度を向上させることができ、作業性を向上させることができる。
【０１０８】
また、前述した理由により、商品購入者が什器１Ａを正面から見たときに、最も高い位置に収納されたトレー２の前側板２ａの上端の破断面が見えない状態となる。それにより、商品Ｓを什器１Ａに陳列したときの見栄えを向上させることができる。
【０１０９】
以上のように、第２実施形態の什器１Ａでは、合計３個のトレー２を什器本体１０Ａに収納することができる。その状態で、３つのトレー２の前側板２ａの上端の破断面が前方から見えない状態にすることができる。これに加えて、トレー２の左右の側板２ｂ，２ｃの上端の破断面が、上下の横側開口１９を介して横側から見えない状態にすることができる。その結果、消費者の商品購入意欲の低下を回避でき、什器自体の商品性を向上させることができる。
【０１１０】
さらに、什器１Ａの場合、前側カバー部１７Ａの前壁部１１との接続部分が支持部１５の上端から所定値ｄ２分、高い位置に設けられているので、第１実施形態の前側カバー部１７のように、前壁部１１との接続部分が支持部１５の上端に等しい位置に設けられている場合と比べて、前壁部１１の強度を高めることができる。さらに、右壁部１３（又は左壁部１２）における横側開口１９は、その両縁部が右壁部１３（又は左壁部１２）の両端に対して所定距離ｄ３分、離間しているので、その分、右壁部１３（又は左壁部１２）の強度を確保できる。
【０１１１】
なお、第２実施形態の什器１Ａにおいて、商品購入者が什器１Ａを横側から見たときの見栄えを向上させるために、左右の切欠き１８を省略したり、横側カバー部２０と同様のカバー部を切欠き１８の下縁部に連続するように設けたりしてもよい。また、左右の横側開口１９，１９及び横側カバー部２０，２０を省略してもよい。さらに、横側カバー部２０，２０を省略するとともに、左右の横側開口１９，１９の下縁を第２横側折目線ｆ１２の位置に設定してもよい。
【０１１２】
また、第２実施形態の什器１Ａは、横側開口１９，１９を左右の壁部の双方に設けた例であるが、横側開口１９，１９を左右の壁部の一方に設けてもよい。
【０１１３】
さらに、第２実施形態の什器１Ａは、横側開口１９の下縁部を支持部１５の上端面よりも低い位置とした例であるが、横側開口１９の下縁部を支持部１５の上端面と同じ高さに設定してもよい。
【０１１４】
また、第２実施形態の什器１Ａの前壁部１１において、前側カバー部１７Ａを省略し、前側開口１６Ａのみが前壁部１１に設けられているように構成してもよい。その場合には、前側開口１６Ａの下縁部と支持部１５の上端との間隔をトレー２の前側板２ａの高さｈよりも高く設定し、トレー２の前側板２ａの上端の破断面が前方から見えないようにすればよい。
【０１１５】
次に、図１５〜２１を参照しながら、本発明の第３実施形態に係る什器１Ｂについて説明する。本実施形態の什器１Ｂは、第２実施形態の什器１Ａと比較すると、一部を除いて同様に構成されているので、以下、異なる点を中心に説明する。また、第２実施形態の什器１Ａと同一の構成に対しては同じ符号を付すとともに、その説明を省略する。
【０１１６】
図１５及び図１６に示すように、什器１Ｂは、什器本体１０Ｂを備えており、この什器本体１０Ｂは、第２実施形態の什器本体１０Ａと比べて、左右の壁部１２，１３及び後壁部１４の構成が異なっているので、以下、これらの点について説明する。なお、図１６は、什器本体１０Ｂの背面図である。
【０１１７】
この什器本体１０Ｂの場合、第２実施形態の什器本体１０Ａと異なり、左右の壁部１２，１３には、切欠き１８及び上下２つの横側開口１９，１９が形成されておらず、左右の壁部１２，１３は、第１実施形態の什器本体１０と同様に、矩形の平板状に構成されている。
【０１１８】
また、後壁部１４には、１つの切欠き３０と、上下２つの後側開口３１，３１と、後側開口３１，３１の各々の下側部分を覆う後側カバー部３２とが設けられている。これらの切欠き３０及び上下２つの後側開口３１，３１は、互いに同じ左右方向の幅を有し、後壁部１４の上下方向に整列した状態で並んでいる。切欠き３０は、後壁部１４の上端部に設けられており、矩形で上方に開放されている。
【０１１９】
この切欠き３０の下縁は、支持部１５の上端よりも低い高さになっている。これは、後述するように、トレー２を什器本体１０Ｂの上端開口から収納する際、作業者の片手の自由度を向上させ、作業性を向上させるためである。
【０１２０】
一方、各後側開口３１は、矩形に構成され、その上縁が前側開口１６Ａの上縁と同じ高さになっている。この後側開口３１の左縁と後壁部１４の左端との間隔、及び後側開口３１の右縁と後壁部１４の右端との間隔は、所定値ｄ４に設定されている。
【０１２１】
また、後側開口３１の下縁は、支持部１５の上端よりも低い位置になっている。これは、後述するように、両手を前側開口１６Ａ及び後側開口３１から差し込んでトレー２の収納作業を実施する際、後側開口３１から差し込んだ片手の自由度を向上させ、作業性を向上させるためである。
【０１２２】
さらに、後側カバー部３２は、ほぼ矩形の板状部材であり、その幅は、後側開口３１の前後方向の幅とほぼ同じになっている。後側カバー部３２の上端部は、左右方向に延びており、その中央部には、作業者が指を引っかけるための、円弧状の切欠き３２ａが形成されている。また、後側カバー部３２の下端部は、後壁部１４との接続部分になっている。
【０１２３】
この後側カバー部３２には、一対の第１後側折目線ｆ３１，ｆ３１及び第２後側折目線ｆ３２が形成されている。一対の第１後側折目線ｆ３１，ｆ３１は、後側カバー部３２のほぼ中央の部位に設けられ、後側カバー部３２の両端間において、互いに平行に前後方向に延びている。
【０１２４】
後側カバー部３２は、一対の第１後側折目線ｆ３１，ｆ３１を介して、什器本体１０Ｂの内側に２段階に折り曲げ可能になっている。また、一対の第１後側折目線ｆ３１，ｆ３１の下側の第１後側折目線ｆ３１と支持部１５の上端との間隔は、トレー２の後側板２ｄの高さｈよりも大きい値に設定されている。それにより、後述するように、トレー２を什器本体１０Ｂ内に収納する際、一対の第１後側折目線ｆ３１，ｆ３１を介して、後側カバー部３２を什器本体１０Ｂの内側に２段階に折り曲げることで、トレー２の後側板２ｄを覆うことができる（図２０参照）。
【０１２５】
また、第２後側折目線ｆ３２は、後側カバー部３２の後壁部１４との接続部分に設けられており、後側カバー部３２の両端間において、第１後側折目線ｆ３１，ｆ３１と平行に前後方向に延びている。後側カバー部３２は、この第２後側折目線ｆ３２を介して後側に折り曲げ可能になっている。それにより、後述するように、トレー２を什器本体１０Ｂ内に収納する際、後側カバー部３２を、第２後側折目線ｆ３２を介して後側に折り曲げることができる（図２０参照）。
【０１２６】
本実施形態の什器本体１０Ｂは、図１７に示す段ボール板紙１０Ｂ’を原紙から打抜いて形成し、これを折り曲げて組み立てられたものである。以下、この段ボール板紙１０Ｂ’の構成について説明する。この段ボール板紙１０Ｂ’の場合、什器本体１０Ｂについて説明した内容に加えて、以下のように構成されている。
【０１２７】
この段ボール板紙１０Ｂ’の後壁部１４には、一対の切込みｃ５，ｃ５が、各後側開口３１の両端部と後壁部１４との間に形成されている。これらの切込みｃ５，ｃ５はそれぞれ、後側カバー部３２の上端と第２後側折目線ｆ３２との間に延びており、それにより、後側カバー部３２は、後壁部１４から切り離された状態になっている。
【０１２８】
以上の図１７に示す段ボール板紙１０Ｂ’から図９に示す什器本体１０Ｂを組み立てる手順は、前述した段ボール板紙１０’から什器本体１０を組み立てる手順と同じであるので、その説明を省略する。
【０１２９】
次に、以上のように構成された什器１Ｂにおいて、トレー２を什器本体１０Ｂ内に収納し、商品Ｓを陳列する場合の動作について説明する。以下の説明では、上側の前側開口１６Ａ及び前側カバー部１７Ａと、上側の後側開口３１及び後側カバー部３２とを介して、トレー２を什器本体１０Ｂ内に収納する場合を例にとって説明する。なお、以下の動作はすべて作業者の手作業によるものとする。
【０１３０】
まず、図１８に示すように、前側カバー部１７Ａを、前壁部１１に対して直角な状態すなわち水平な状態になるまで、下側の第１折目線ｆ１に沿って下方に折り曲げる。さらに、後側カバー部３２を、後壁部１４に対して直角な状態になるまで第２後側折目線ｆ３２に沿って下方に折り曲げる。
【０１３１】
次に、図１９に示すように、左手Ｌｈでトレー２を把持しながら、これを前側開口１６Ａを介して什器本体１０Ｂ内に差し込むとともに、右手Ｒｈを後側開口３１を介して什器本体１０Ｂ内に差し込み、両手Ｌｈ，Ｒｈでトレー２を把持する。そして、その状態で、トレー２を、その四隅の底面が４つの支持部１５によって支持される位置まで移動させる。以上により、トレー２が什器本体１０Ｂ内に収納される。
【０１３２】
この場合、第２後側折目線ｆ３２が支持部１５の上端よりも低い位置に設けられているので、収納作業の際、右手Ｒｈをトレー２の収納位置まで自由に動かすことができ、トレー２の収納作業を容易に行うことができる。
【０１３３】
次いで、前側カバー部１７Ａを、前壁部１１に対して平行な状態（図１５に示す状態）になるまで、下側の第１折目線ｆ１に沿って上方に折り曲げる。さらに、後側カバー部３２を、後壁部１４に対して平行な状態（図１６に示す状態）になるまで、第２後側折目線ｆ３２に沿って上方に折り曲げる。
【０１３４】
その後、図２０に示すように、前側カバー部１７Ａを一対の第１折目線ｆ１，ｆ１に沿って什器本体１０Ｂの内側に２段階に折り曲げることにより、トレー２の前側板２ａの上端の破断面が前側カバー部１７Ａによって覆われた状態になる。さらに、後側カバー部３２を一対の第１後側折目線ｆ３１，ｆ３１に沿って什器本体１０Ｂの内側に２段階に折り曲げることにより、トレー２の後側板２ｄの上端の破断面が後側カバー部３２によって覆われた状態になる。
【０１３５】
以上のように、トレー２を什器本体１０Ｂ内に収納した後、多数の商品Ｓをトレー２内に並べることにより、商品Ｓの陳列が終了する。この状態では、図２１に示すように、商品購入者が後側開口３１を介して商品Ｓを参照した際、トレー２の後側板２ｄの上端の破断面が、後側カバー部３２によって覆われていることで、破断面が見えず、商品Ｓしか見えない状態となる。それにより、商品Ｓを什器１Ｂに陳列したときの見栄えを向上させることができる。
【０１３６】
この什器１Ｂでは、以上の手順により、トレー２を、上側の前側開口１６Ａ及び上側の前側カバー部１７Ａと、上側の後側開口３１及び上側の後側カバー部３２とを介して、什器本体１０Ｂ内に収納することができる。また、以上と同様の手順により、トレー２を、下側の前側開口１６Ａ及び下側の前側カバー部１７Ａと、下側の後側開口３１及び下側の後側カバー部３２とを介して、什器本体１０Ｂ内に収納することができる。
【０１３７】
これに加えて、トレー２を、什器本体１０Ｂの上端開口を介して、什器本体１０Ｂ内に差し込み、トレー２の底面を最上位の４つの支持部１５に当接させることによって、トレー２を什器本体１０Ｂ内に収納することができる。その際、前述したように、切欠き３０の下縁は、支持部１５の上端よりも低い高さになっているので、トレー２を什器本体１０Ｂの上方から収納する際、作業者の片手の自由度を向上させることができ、作業性を向上させることができる。
【０１３８】
また、前述した理由により、商品購入者が什器１Ｂを正面から見たときに、最も高い位置に収納されたトレー２の前側板２ａの上端の破断面が見えない状態となる。それにより、商品Ｓを什器１Ｂに陳列したときの見栄えを向上させることができる。
【０１３９】
以上のように、第３実施形態の什器１Ｂでは、合計３個のトレー２を什器本体１０Ｂに収納することができる。その状態で、３つのトレー２の前側板２ａの上端の破断面が前方から見えない状態にすることができる。これに加えて、トレー２の後側板２ｄの上端の破断面が、上下の後側開口３１を介して後側から見えない状態にすることができる。その結果、消費者の商品購入意欲の低下を回避でき、什器自体の商品性を向上させることができる。
【０１４０】
また、この什器１Ｂの場合、前述した什器１Ａと同様に、前側カバー部１７Ａの前壁部１１との接続部分が支持部１５の上端から所定値ｄ２分、高い位置に設けられているので、その分、前壁部１１の強度を第１実施形態の什器１よりも高めることができる。さらに、後壁部１４における後側開口３１は、その両縁部が後壁部１４の両端に対して所定距離ｄ４分、離間しているので、その分、後壁部１４の強度を確保できる。
【０１４１】
なお、第３実施形態の什器１Ｂにおいて、商品購入者が什器１Ｂを後ろ側から見たときの見栄えを向上させるために、切欠き３０を省略したり、後側カバー部３２と同様のカバー部を切欠き３０の下縁部に連設したりしてもよい。また、後側開口３１及び後側カバー部３２を省略してもよい。さらに、後側カバー部３２を省略するとともに、後側開口３１の下縁部を第２後側折目線ｆ３２の高さに設定してもよい。
【０１４２】
第３実施形態は、後側開口３１の下縁部を支持部１５の上端面よりも低い位置とした例であるが、後側開口３１の下縁部を支持部１５の上端面と同じ高さの位置としてもよい。
【０１４３】
次に、図２２〜２３を参照しながら、本発明の第４実施形態に係る什器１Ｃについて説明する。本実施形態の什器１Ｃは、第１実施形態の什器１と比較すると、一部を除いて同様に構成されているので、以下、異なる点を中心に説明する。また、第１実施形態の什器１と同一の構成に対しては同じ符号を付すとともに、その説明を省略する。
【０１４４】
図２２に示すように、什器１Ｃは、什器本体１０Ｃを備えており、この什器本体１０Ｃは、図２３に示す段ボール板紙１０Ｃ’から組み立てられる。この段ボール板紙１０Ｃ’は、一部を除いて矩形状のものであり、左側から右側に向かって、左壁部１２の半部１２’、前壁部１１、右壁部１３、後壁部１４及び左壁部１２の半部１２’が一体に連設されている。この段ボール板紙１０Ｃ’の場合、後壁部１４と左壁部１２の半部１２’の間には、折目線ｆ７が上下方向に延びている。
【０１４５】
什器本体１０Ｃは、段ボール板紙１０Ｃ’の左壁部１２の半部１２’、前壁部１１、右壁部１３、後壁部１４及び左壁部１２の半部１２’を、折目線ｆ４〜ｆ７を介して互いに直交する状態まで折り曲げた後、２つの半部１２’１２’を重ね合わせた状態で互いに固定することによって作製されている。
【０１４６】
この什器本体１０Ｃの四隅すなわち隣り合う各２つの壁部の接続部には、合計８個の支持部４０が設けられている。８個の支持部４０のうち、上側の４個の支持部４０は互いに同じ高さに配置されており、下側の４個の支持部４０も同じ高さに配置されている。
【０１４７】
各支持部４０は、２つの二等辺三角形の壁部を組み合わせた形状を有しており、什器本体１０Ｃの内方に突出しているとともに、その上端面はほぼ水平に配置されている。前述したトレー２は、前側開口１６を介して、什器本体１０Ｃに収容されたときに、４つの支持部４０によって支持される。
【０１４８】
また、段ボール板紙１０Ｃ’には、一対の折目線ｆ９，ｆ９と一対の切込みｃ６，ｃ６（切目）が形成されており、これらの折目線ｆ９，ｆ９及び切込みｃ６，ｃ６は、菱形に配置されている。
【０１４９】
一対の折目線ｆ９，ｆ９は、折目線ｆ４〜ｆ７の各々を間にして左右対称に設けられ、上方に向かうほど、互いの間隔がより大きくなるようになっている。また、一対の切込みｃ６，ｃ６は、一対の折目線ｆ９，ｆ９の上端からそれぞれ上方に延び、上方に向かうほど、互いの間隔がより小さくなるようになっている。
【０１５０】
支持部４０は、一対の折目線ｆ９，ｆ９及び一対の切込みｃ６，ｃ６によって囲まれた菱形の部分を指で押圧し、什器本体１０Ｃの内側に折り曲げることによって形成されている。
【０１５１】
また、什器本体１０Ｃの前壁部１１には、上下２つの前側カバー部１７’，１７’が設けられているとともに、その下側には、前述した前側カバー部１７が設けられている。下側の前側カバー部１７’は、上側の開口１６の下半部を覆っているとともに、その両下端部は、上述した切込みｃ６，ｃ６によって、斜めに切り欠かれた形状になっている。
【０１５２】
この前側カバー部１７’には、一対の第１折目線ｆ１，ｆ１、折目線ｆ２’及び折目線ｆ８が形成されている。前側カバー部１７’は、この折目線ｆ２’を介して、手前側に折り曲げ可能になっており、この折目線ｆ２’と下側の第１折目線ｆ１の間隔は、第１折目線ｆ１と第２折目線ｆ２の間隔と同一に設定されている。
【０１５３】
また、折目線ｆ８は、前側カバー部１７’を前述した図７に示す状態でトレー２に取り付けた後、これをトレー２から取り外す際、前側カバー部１７’の先端部を上方に折り曲げるために用いられる。さらに、上側の前側カバー部１７’は、下側の前側カバー部１７’と同一に形成され、その上縁が什器本体１０Ｃの上縁になっている。
【０１５４】
また、什器本体１０Ｃの左右壁部１２，１３及び後壁部１４には、左右のカバー部１２Ａ，１３Ａ及び後カバー部１４Ａがそれぞれ設けられている。後カバー部１４Ａは、前側カバー部１７’と同一に構成されている。
【０１５５】
さらに、左右のカバー部１２Ａ，１３Ａは、前後方向の横幅以外は、前側カバー部１７’と同一に構成されている。すなわち、左右のカバー部１２Ａ，１３Ａの各々には、前述した一対の第１折目線ｆ１，ｆ１、折目線ｆ２’及び折目線ｆ８が形成されている。
【０１５６】
これに加えて、什器本体１０Ｃの右壁部１３には、図２３に示すように、矩形の蓋部１３Ｂが設けられている。この蓋部１３Ｂは、折目線ｆ１０と「コ」字状のミシン目線Ｃ７とによって形成されており、ミシン目線Ｃ７に沿って右壁部１３から切り離し可能であるとともに、折目線ｆ１０に沿って手前に折り曲げ可能になっている。
【０１５７】
以上のように構成された第４実施形態の什器１Ｃによれば、２個のトレー２を支持部４０で支持しながら什器本体１０Ｃに収納することができる。さらに、１個のトレー２を、下側の前側開口１６を介して什器本体１０Ｃ内の支持台代わりの箱などの上に載置することにより、トレー２を什器本体１０Ｃに収納することができる。すなわち、合計３個のトレー２を什器本体１０Ｃに収納することができる。その状態で、２つの前側カバー部１７’，１７’及び前側カバー部１７を内側に折り曲げることにより、３つのトレー２の前側板２ａの上端の破断面が前方から見えない状態にすることができる。
【０１５８】
これに加えて、上側の４つの支持部４０に支持されたトレー２においては、前側カバー部１７Ａ、左右のカバー部１２Ａ，１３Ａ及び後カバー部１４Ａをそれぞれ、前側カバー部１７と同様に、内側に折り曲げることにより、トレー２の左右の側板２ｂ，２ｃ及び後側板２ｄの上端の破断面が左右方向及び後方から見えない状態にすることができる。
【０１５９】
さらに、作業者は、蓋部１３Ｂをミシン目線Ｃ７に沿って右壁部１３から切り離しながら、折目線ｆ１０に沿って手前に折り曲げることにより、開口を右壁部１３に形成することができる。それにより、作業者は、この開口を介して手を什器本体１０Ｃ内に差し込むことができ、什器本体１０Ｃ内の収容物に対して手作業を容易に行うことができる。
【０１６０】
なお、第１〜第３実施形態の什器１，１Ａ，１Ｂにおいて、支持部１５に代えて、上記の支持部４０を設けてもよい。さらに、第１〜第３実施形態の什器１，１Ａ，１Ｂにおいて、上記の前側カバー部１７Ａ、左右のカバー部１２Ａ，１３Ａ及び後カバー部１４Ａをそれぞれ設けてもよい。
【０１６１】
また、第１及び第３実施形態の什器１，１Ｂにおいて、上記の蓋部１３Ｂを左右の壁部１２，１３に設けてもよい。さらに、第２実施形態の什器１Ａにおいて、横側カバー部２０及び横側開口１９が左右の壁部１２，１３に存在しない場合には、上記の蓋部１３Ｂを左右の壁部１２，１３に設けてもよい。
【符号の説明】
【０１６２】
１  什器
２  トレー
２ａ  前側板
２ｂ  左側板
２ｃ  右側板
２ｄ  後側板
１０  什器本体
１１  前壁部
１２  左壁部
１３  右壁部
１４  後壁部
１５  支持部
１６  前側開口
１７  前側カバー部
ｆ１  第１折目線（上側折目線）
ｆ２  第２折目線（折目線）
ｃ１  切込み（切目）
１Ａ  什器
１０Ａ  什器本体
１６Ａ  前側開口
１７Ａ  前側カバー部
１９  横側開口
ｆ１１  第１横側折目線（上横側折目線）
ｆ１２  第２横側折目線（下横側折目線）
１Ｂ  什器
１０Ｂ  什器本体
３１  後側開口
３２  後側カバー部
ｆ３１  第１後側折目線（上後側折目線）
ｆ３２  第２後側折目線（下後側折目線）
４０  支持部
【図１】
2020103831.tif 000003
【図２】
2020103831.tif 000004
【図３】
2020103831.tif 000005
【図４】
2020103831.tif 000006
【図５】
2020103831.tif 000007
【図６】
2020103831.tif 000008
【図７】
2020103831.tif 000009
【図８】
2020103831.tif 000010
【図９】
2020103831.tif 000011
【図１０】
2020103831.tif 000012
【図１１】
2020103831.tif 000013
【図１２】
2020103831.tif 000014
【図１３】
2020103831.tif 000015
【図１４】
2020103831.tif 000016
【図１５】
2020103831.tif 000017
【図１６】
2020103831.tif 000018
【図１７】
2020103831.tif 000019
【図１８】
2020103831.tif 000020
【図１９】
2020103831.tif 000021
【図２０】
2020103831.tif 000022
【図２１】
2020103831.tif 000023
【図２２】
2020103831.tif 000024
【図２３】
2020103831.tif 000025